(57)【特許請求の範囲】
【請求項１】
箱状に形成されると共に側面が半透明な合成樹脂材で形成されたケース本体と、このケース本体の床板に隆起して形成されたコンセント載置部と、このコンセント載置部に固定された露出型コンセントと、この露出型コンセントの一端面に設けられた延長コード用プラグと、前記露出型コンセントの一側面に形成されると共に間隔寸法が大きく設定された複数のプラグ差込口と、前記露出型コンセントの他側面に形成されると共に間隔寸法が大きく設定された複数のプラグ差込口と、前記床板に着脱可能に設けられると共に前記ケース本体を一定高さに保持固定する支持脚と、この支持脚の上端部に形成された電球取付部に取り付けられて前記ケース本体の内部を照らす電球と、を有してなることを特徴とするコンセント・アダプター収容ケース。
【請求項２】
箱状に形成されると共に側面が半透明な合成樹脂材で形成されたケース本体と、このケース本体の床板に隆起して形成されたコンセント載置部と、このコンセント載置部に固定された露出型コンセントと、前記ケース本体の床板に形成されると共にコードが挿通されるコード挿通切欠口と、前記露出型コンセントの一端面に設けられた延長コード用プラグと、前記露出型コンセントの一側面に形成されると共に間隔寸法が大きく設定された第１プラグ差込口及び第２プラグ差込口と、前記露出型コンセントの他側面に形成されると共に間隔寸法が大きく設定された第３プラグ差込口及び第４プラグ差込口と、前記露出型コンセントの他端面に形成された第５プラグ差込口と、前記床板に着脱可能に設けられると共に前記ケース本体を一定高さに保持固定する支持脚と、この支持脚の上端部に形成された電球取付部に取り付けられて前記ケース本体の内部を照らす電球と、を有してなることを特徴とするコンセント・アダプター収容ケース。
【発明の詳細な説明】
【０００１】
【発明の属する技術分野】
本発明は、主に屋外において使用される装飾電灯のコードに設けられたアダプター及びこのアダプターと接続されるコンセントが雨水等に濡れるのを防止することができるコンセント・アダプター収容ケースに関する。
【０００２】
【従来の技術】
近年、屋外の樹木や塀等に多数の豆電球を飾り、これら豆電球を点灯させることにより夜間等にライトアップを図る装飾電灯が多数提案されている。この装飾電灯の中には、前記豆電球に流れる電流のボルトを下げるためにコードの基端部にアダプターが設けられている場合がある。
図８に示されるように、このタイプの装飾電灯１はコード２の先端部から中間部にかけて多数の枝コード３が分岐され、これら枝コード３の先端に豆電球４が取り付けられ、多数の豆電球４を点灯できるようになっている。また、コード２の基端部はアダプター５が設けられ、アダプター５には一対の差込極６が突設されている。
ところで、前記装飾電灯１は主に屋外で使用されるため装飾電灯１のコード２の長さが短いと前記アダプター５を屋内に設けられたコンセントに直接差し込むことができない場合がある。このような場合、別途に用意された延長コード７を用いて延長コード７の基端部のプラグを屋内に設けられたコンセントに差し込むと共に延長コードの先端部の延長コードコンセント８に前記装飾電灯１のアダプター５を差し込んで装飾電灯１の豆電球４を点灯させている。
このため、装飾電灯１のアダプター５と延長コード７の延長コードコンセント８が屋外に位置すると雨水等により濡れて漏電等のおそれがある。そこで、前記装飾電灯１のアダプター５と延長コード７の延長コードコンセント８をケース等に収容することにより前記アダプター５と延長コードコンセント８が屋外にあっても雨水等から濡れるのを防止することも可能であるが、このケースを置いた芝生面や地面等に雨水が流れるとケース内に雨水が浸入して前記アダプター５と延長コードコンセント８が濡れてしまうおそれがある。
また、従来の延長コードコンセント８に複数形成されているプラグ差込口９はプラグ差込口９同士の間隔寸法が小さいため装飾電灯１のアダプター５が大型であると複数のアダプター５を並べてプラグ差込口９に差し込むことができず、装飾電灯１を複数使用する場合においては１個の延長コードコンセント８では対応できないという不具合がある。
【０００３】
【発明が解決しようとする課題】
本発明は上記事実に鑑みなされたものであり、雨水等の影響を排除すると共に装飾電灯のアダプターが大型であってもアダプターを複数並べて使用することができるコンセント・アダプター収容ケースを提供するものである。
【０００４】
【課題を解決するための手段】
請求項１の発明は、箱状に形成されると共に側面が半透明な合成樹脂材で形成されたケース本体と、このケース本体の床板に隆起して形成されたコンセント載置部と、このコンセント載置部に固定された露出型コンセントと、この露出型コンセントの一端面に設けられた延長コード用プラグと、前記露出型コンセントの一側面に形成されると共に間隔寸法が大きく設定された複数のプラグ差込口と、前記露出型コンセントの他側面に形成されると共に間隔寸法が大きく設定された複数のプラグ差込口と、前記床板に着脱可能に設けられると共に前記ケース本体を一定高さに保持固定する支持脚と、この支持脚の上端部に形成された電球取付部に取り付けられて前記ケース本体の内部を照らす電球と、を有してなることを特徴としている。
請求項２の発明は、箱状に形成されると共に側面が半透明な合成樹脂材で形成されたケース本体と、このケース本体の床板に隆起して形成されたコンセント載置部と、このコンセント載置部に固定された露出型コンセントと、前記ケース本体の床板に形成されると共にコードが挿通されるコード挿通切欠口と、前記露出型コンセントの一端面に設けられた延長コード用プラグと、前記露出型コンセントの一側面に形成されると共に間隔寸法が大きく設定された第１プラグ差込口及び第２プラグ差込口と、前記露出型コンセントの他側面に形成されると共に間隔寸法が大きく設定された第３プラグ差込口及び第４プラグ差込口と、前記露出型コンセントの他端面に形成された第５プラグ差込口と、前記床板に着脱可能に設けられると共に前記ケース本体を一定高さに保持固定する支持脚と、この支持脚の上端部に形成された電球取付部に取り付けられて前記ケース本体の内部を照らす電球と、を有してなることを特徴としている。
【０００５】
【発明の実施の形態】
図１〜図７には本発明に係るコンセント・アダプター収容ケースの一実施例が示されている。
図１に示されるように、コンセント・アダプター収容ケース１０のケース本体としてのハウス本体１２は家屋の形状を模して形成されている。図２に示されるように、このハウス本体１２は合成樹脂材で形成された床板１４と第１側面板１６，第２側面板１８，背面板２０，正面板２２（図１参照）と屋根２４（図１参照）を組み合わせて組立自在に形成されている。なお、前記第１側面板１６，第２側面板１８，背面板２０，正面板２２は半透明な合成樹脂材で形成されている。
図３に示されるように、前記床板１４には平面視長方形状のコンセント載置部２６が隆起して一体形成されている。また、前記床板１４の四隅には支持脚挿入孔２８が１個づつ貫通形成されている。
前記床板１４の正面板２２に対応する正面側部には延長コード挿通切欠部３０と複数（実施例では５個）のコード挿通切欠部３２Ａ，３２Ｂ，３２Ｃ，３２Ｄ，３２Ｅが並んで切り欠き形成されている。
図１に示されるように、この延長コード挿通切欠部３０には図示されないプラグが屋内のコンセントに接続された延長コード３４の中間部を挿通できるようになっている。また、前記コード挿通切欠部３２Ａ，３２Ｂ，３２Ｃ，３２Ｄ，３２Ｅには図８に示される装飾電灯１のコード２が１本ずづ挿通されるようになっている。
図２に示されるように、前記コンセント載置部２６には平面視長方形状の露出型コンセント３８が載置されてネジ等の適宜手段で固定されている。
図４に示されるように、この露出型コンセント３８の一端面にはコード４０が設けられ、コード４０の先端には延長コード用プラグ４２が設けられている。従って、図７に示されるように前記延長コード３４の先端部に設けられたメスプラグ４４に前記延長コード用プラグ４２を差し込むことにより、延長コード３４を前記露出型コンセント３８に接続できるようになっている。
図２及び図４に示されるように、前記露出型コンセント３８の一側面には一対の受け口からなる第１プラグ差込口４６，第２プラグ差込口４８が並んで形成され、他側面には第３プラグ差込口５０，第５プラグ差込口５２が並んで形成されている。また、前記露出型コンセント３８の他端面には第５プラグ差込口５４が形成されている。
なお、図４に示されるように前記第１プラグ差込口４６と第２プラグ差込口４８の間隔寸法Ａ及び第３プラグ差込口５０と第４プラグ差込口５２の間隔寸法Ａは共に大きく設けられている。
従って、前記装飾電灯１のコード２の基端部にそれぞれ設けられているアダプター５が大型であっても横に並んで差し込まれるアダプター５同士が邪魔になることがないので、アダプター５を並べた状態でアダプター５の差込極６を差し込めるようになっている。この結果、前記アダプター５が大型でも全ての第１プラグ差込口４６，第２プラグ差込口４８，第３プラグ差込口５０，第４プラグ差込口５２を使用することができる。
図２に示されるように、前記床板１４の支持脚挿入孔２８には合成樹脂製の支持脚６０が１本づつ挿入されるようになっている。この支持脚６０は容易に前記床板１４に固定できると共に容易に床板１４から取り外せることができるようになっている。また、前記支持脚６０の下端部６０Ａは尖って形成され、支持脚６０を芝生面や地面等に差し込めるようになっている。
従って、前記支持脚６０を芝生面や地面等に差し込むことによりハウス本体１２は４本の支持脚６０によって確実に固定されると共に芝生面や地面から一定の高さに保持されるようになっている。
図５に示されるように、前記支持脚６０の上端部には電球取付部６２が形成されている。この電球取付部６２には前記ハウス本体１２の内部を照らすケース用電灯のケース照明用電球６４を取り付けられるようになっている。この実施例で用いられるケース用電灯は全体図は図示されないが、前記装飾電灯１と類似する構造とされている。即ち、ケース用電灯のコード６６の中間部は４本の枝コード６６Ａが分岐され、枝コード６６Ａの先端部に前記ケース照明用電球６４が設けられている。また、前記コード６６の基端部にはアダプター６８が設けられている。
図６に示されるように前記ケース用電灯のアダプター６８は前記露出型コンセント３８の第５プラグ差込口５４に差し込まれ、コード６６は前記コード挿通切欠部３２Ｅに挿通されるようになっている。
【０００６】
実施例のコンセント・アダプター収容ケース１０の作用を説明する。なお、４個の装飾電灯１のアダプター５とケース内電灯のアダプター６８を露出型コンセント３８に接続する場合について説明する。
前記コンセント・アダプター収容ケース１０を屋外に設置する場合は、４本の支持脚６０の下端部６０Ａを芝生面や地面に差し込むことにより、ハウス本体１２を一定の高さに保持した状態で固定設置する。そして、ハウス本体１２から屋根２４及び前記第１側面板１６，第２側面板１８，背面板２０，正面板２２を取り外す。
そして、前記延長コード３４のメスプラグ４４を露出型コンセント３８の延長コード用プラグ４２を差し込むことにより、延長コード３４を前記露出型コンセント３８に接続する。なお、延長コード３４の中間部は延長コード挿通切欠部３０に挿通させる。
次に、屋外に設けられた４個の装飾電灯１のアダプター５を前記露出型コンセント３８の第１プラグ差込口４６，第２プラグ差込口４８，第３プラグ差込口５０，第４プラグ差込口５２に差し込む。
なお、前記第１プラグ差込口４６と第２プラグ差込口４８の間隔寸法Ａと第３プラグ差込口５０と第４プラグ差込口５２の間隔寸法Ａは共に大きく設定されているので、前記アダプター５が大型であっても図６に示されるようにアダプター５を並べて前記第１プラグ差込口４６，第２プラグ差込口４８，第３プラグ差込口５０，第４プラグ差込口５２に差し込めることができ、第１プラグ差込口４６，第２プラグ差込口４８，第３プラグ差込口５０，第４プラグ差込口５２を有効利用することができる。
また、装飾電灯１の４本のコード２の中間部はそれぞれコード挿通切欠部３２Ａ，３２Ｂ，３２Ｃ，３２Ｄに１本づつ挿通させる。
そして、ケース用電灯のケース内照明電球６４を支持脚６０の電球取付部６２に取り付けると共にケース用電灯のコード６６の基端部に設けられたアダプター６８を前記露出型コンセント３８の第５プラグ差込口５４に差し込む。また、ケース用電灯のコード６６の中間部はコード挿通切欠部３２Ｅに挿通させる。
最後に、前記床板１４に前記第１側面板１６，第２側面板１８，背面板２０，正面板２２を組み立てて屋根２４を載せることによりハウス本体１２が組み立てられる。
従って、前記露出型コンセント３８と装飾電灯１のアダプター５はハウス本体１２に完全に収容されるので雨水等が降っても露出型コンセント３８とアダプター５が濡れたりせず、また、前記ハウス本体１２は支持脚６０によって芝生面や地面から一定高さに保持されているので、雨水等が芝生面や地面を流れてもハウス本体１２に雨水等が浸入して前記露出型コンセント３８とアダプター５が濡れることを確実に防止することができる。
さらに、支持脚６０の電球取付部６２に取り付けられたケース内照明電球６４を点灯することにより、半透明な第１側面板１６，第２側面板１８，背面板２０，正面板２２を通してケース内照明電球６４の灯りが見えるので夜間においては特に灯篭のような雰囲気を醸し出し、前記コンセント・アダプター収容ケース１０の外観品質を一段と向上させるという利点を有する。
【０００７】
なお、実施例ではケース本体として家屋の形を模したハウス本体１２を示したが、ケース本体は図示した家屋の形状に限定されるものでないことは勿論である。
また、実施例ではケース本体としてのハウス本体１２を合成樹脂材で形成したが、合成樹脂材以外の材料で形成してもよいことは勿論である。
なお、前記露出型コンセント３８には第１プラグ差込口４６，第２プラグ差込口４８，第３プラグ差込口５０，第４プラグ差込口５２，第５プラグ差込口５４の５個のプラグ差込口を形成したが、プラグ差込口の数は５個に限定されるものでないことは勿論である。
また、実施例ではハウス本体１２に前記装飾電灯１と類似する構造のケース用電灯を配設して、ケース用電灯のケース照明用電球６４を支持脚６０の電球取付部６２に取り付けた例を示したが、支持脚６０の電球取付部６２に取り付けられる電球はこのタイプの電球に限定されるものでないことは勿論である。
また、実施例では装飾電灯１を露出型コンセント３８に接続する例を示したが、露出型コンセント３８に接続するのは必ずしも装飾電灯１に限定されるものでないことは勿論である。
【０００８】
【発明の効果】
本発明のコンセント・アダプター収容ケースは、雨等が降っても装飾電灯のアダプター等が濡れることを防止できると共に雨水等が芝生面や地面等を流れてもケース本体に雨水等が浸入して装飾電灯のアダプター等が濡れるのを防止することができるという優れた効果を有する。
また、前記装飾電灯のアダプターが大型であっても複数のアダプターを並べて取り付けることができるという優れた効果を有する。
さらに、ケース本体の側面は半透明な合成樹脂材で形成されると共にケース本体内には電球が設けられているので、この電球を点灯することにより灯篭のような雰囲気を醸し出すことができてコンセント・アダプター収容ケースの外観品質を一段と向上させることができるという優れた効果を有する。
【図面の簡単な説明】
【図１】実施例のコンセント・アダプター収容ケースの全体斜視図である。
【図２】実施例のコンセント・アダプター収容ケースの屋根を取り外した状態の斜視図である。
【図３】実施例のコンセント・アダプター収容ケースの床板の平面図である。
【図４】実施例のコンセント・アダプター収容ケースの露出型コンセントの斜視図である。
【図５】実施例のコンセント・アダプター収容ケースの支持脚の側面図である。
【図６】実施例のコンセント・アダプター収容ケースの露出型コンセントにアダプターを差し込んだ状態の平面図図である。
【図７】実施例のコンセント・アダプター収容ケースの露出型コンセントにアダプターを差し込んだ状態の平面図図である。
【図８】実施例のコンセント・アダプター収容ケースに使用される装飾電灯の全体斜視図である。
【符号の説明】
１０    コンセント・アダプター収容ケース
１２    ハウス本体
１４    床板
２８    支持脚挿入孔
３０    延長コード挿通切欠部
３２Ａ  コード挿通切欠部
３２Ｂ  コード挿通切欠部
３２Ｃ  コード挿通切欠部
３２Ｄ  コード挿通切欠部
３２Ｅ  コード挿通切欠部
３８    露出型コンセント
４６    第１プラグ差込口
４８    第２プラグ差込口
５０    第３プラグ差込口
５２    第４プラグ差込口
５４    第５プラグ差込口
６０    支持脚
６２    電球取付部
６４    ケース照明用電球
【図１】
0003684211.tif 000002
【図２】
0003684211.tif 000003
【図３】
0003684211.tif 000004
【図４】
0003684211.tif 000005
【図５】
0003684211.tif 000006
【図６】
0003684211.tif 000007
【図７】
0003684211.tif 000008
【図８】
0003684211.tif 000009